【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
（１）配列番号：１、配列番号：３または配列番号：８で表わされるアミノ酸配列と同一もしくは実質的に同一のアミノ酸配列を含有するＧ蛋白質共役型レセプター蛋白質、その部分ペプチドまたはその塩および（２）脂肪酸またはその塩を用いることを特徴とする該レセプター蛋白質またはその塩と脂肪酸またはその塩との結合性を変化させる化合物またはその塩のスクリーニング方法。
【請求項２】
（１）配列番号：１、配列番号：３または配列番号：８で表わされるアミノ酸配列と８５％以上の相同性を有するアミノ酸配列を含有するＧ蛋白質共役型レセプター蛋白質、その部分ペプチドまたはその塩および（２）脂肪酸またはその塩を用いることを特徴とする該レセプター蛋白質またはその塩と脂肪酸またはその塩との結合性を変化させる化合物またはその塩のスクリーニング方法。
【請求項３】
（１）配列番号：１、配列番号：３または配列番号：８で表わされるアミノ酸配列中の１または数個のアミノ酸が欠失、付加、または置換されたアミノ酸配列を含有するＧ蛋白質共役型レセプター蛋白質、その部分ペプチドまたはその塩および（２）脂肪酸またはその塩を用いることを特徴とする該レセプター蛋白質またはその塩と脂肪酸またはその塩との結合性を変化させる化合物またはその塩のスクリーニング方法。
【請求項４】
（１）配列番号：１、配列番号：３または配列番号：８で表わされるアミノ酸配列と同一もしくは実質的に同一のアミノ酸配列を含有するＧ蛋白質共役型レセプター蛋白質、その部分ペプチドまたはその塩および（２）脂肪酸またはその塩を含有することを特徴とする該レセプター蛋白質またはその塩と脂肪酸またはその塩との結合性を変化させる化合物またはその塩のスクリーニング用キット。
【請求項５】
（１）配列番号：１、配列番号：３または配列番号：８で表わされるアミノ酸配列と８５％以上の相同性を有するアミノ酸配列を含有するＧ蛋白質共役型レセプター蛋白質、その部分ペプチドまたはその塩および（２）脂肪酸またはその塩を含有することを特徴とする該レセプター蛋白質またはその塩と脂肪酸またはその塩との結合性を変化させる化合物またはその塩のスクリーニング用キット。
【請求項６】
（１）配列番号：１、配列番号：３または配列番号：８で表わされるアミノ酸配列中の１または数個のアミノ酸が欠失、付加、または置換されたアミノ酸配列を含有するＧ蛋白質共役型レセプター蛋白質、その部分ペプチドまたはその塩および（２）脂肪酸またはその塩を含有することを特徴とする該レセプター蛋白質またはその塩と脂肪酸またはその塩との結合性を変化させる化合物またはその塩のスクリーニング用キット。
【請求項７】
（１）配列番号：１、配列番号：３または配列番号：８で表わされるアミノ酸配列と同一もしくは実質的に同一のアミノ酸配列を含有するＧ蛋白質共役型レセプター蛋白質、その部分ペプチドまたはその塩および（２）該レセプター蛋白質またはその塩と脂肪酸またはその塩との結合性を変化させる化合物またはその塩を用いることを特徴とする該レセプター蛋白質またはその塩に対するアゴニストまたはアンタゴニストのスクリーニング方法。
【請求項８】
（１）配列番号：１、配列番号：３または配列番号：８で表わされるアミノ酸配列と同一もしくは実質的に同一のアミノ酸配列を含有するＧ蛋白質共役型レセプター蛋白質、その部分ペプチドまたはその塩および（２）該レセプター蛋白質またはその塩と脂肪酸またはその塩との結合性を変化させる化合物またはその塩を含有することを特徴とする該レセプター蛋白質またはその塩に対するアゴニストまたはアンタゴニストのスクリーニング用キット。
【請求項９】
脂肪酸またはその塩と配列番号：１、配列番号：３または配列番号：８で表わされるアミノ酸配列と同一もしくは実質的に同一のアミノ酸配列を含有するＧ蛋白質共役型レセプター蛋白質またはその塩との結合性を変化させる化合物またはその塩を含有してなる医薬。
【請求項１０】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアゴニストを含有してなる糖尿病、高脂血症、動脈硬化、狭心症または心筋梗塞の予防・治療剤。
【請求項１１】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアゴニストを含有してなるストレス調節剤。
【請求項１２】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアゴニストを含有してなる副腎皮質刺激ホルモン（ＡＣＴＨ）分泌抑制剤。
【請求項１３】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアゴニストを含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群または副腎皮質の萎縮の予防・治療剤。
【請求項１４】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアンタゴニストを含有してなる肥満症の予防・治療剤。
【請求項１５】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアンタゴニストを含有してなるストレス調節剤。
【請求項１６】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアンタゴニストを含有してなる副腎皮質刺激ホルモン（ＡＣＴＨ）分泌促進剤。
【請求項１７】
配列番号：１、配列番号：３または配列番号：８で表わされるアミノ酸配列と同一もしくは実質的に同一のアミノ酸配列を含有するＧ蛋白質共役型レセプター蛋白質またはその塩に対するアンタゴニストを含有してなる慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの予防・治療剤。
【請求項１８】
試験化合物を配列番号：１、配列番号：３または配列番号：８で表されるアミノ酸配列と同一もしくは実質的に同一のアミノ酸配列を含有するＧ蛋白質共役型レセプター蛋白質を含有する細胞に接触させた場合における細胞内Ｃａ2+濃度上昇活性、細胞内ｃＡＭＰ生成抑制活性、ＭＡＰキナーゼのリン酸化もしくは活性化、副腎皮質刺激ホルモン（ＡＣＴＨ）分泌抑制活性、グリセロール生成抑制活性、または脂肪分解抑制活性を測定することを特徴とする該レセプター蛋白質またはその塩に対するアゴニストのスクリーニング方法。
【請求項１９】
試験化合物を配列番号：１、配列番号：３または配列番号：８で表わされるアミノ酸配列と８５％以上の相同性を有するアミノ酸配列を含有するＧ蛋白質共役型レセプター蛋白質を含有する細胞に接触させた場合における細胞内Ｃａ2+濃度上昇活性、細胞内ｃＡＭＰ生成抑制活性、ＭＡＰキナーゼのリン酸化もしくは活性化、副腎皮質刺激ホルモン（ＡＣＴＨ）分泌抑制活性、グリセロール生成抑制活性、または脂肪分解抑制活性を測定することを特徴とする該レセプター蛋白質またはその塩に対するアゴニストのスクリーニング方法。
【請求項２０】
試験化合物を配列番号：１、配列番号：３または配列番号：８で表わされるアミノ酸配列中の１または数個のアミノ酸が欠失、付加、または置換されたアミノ酸配列を含有するＧ蛋白質共役型レセプター蛋白質を含有する細胞に接触させた場合における細胞内Ｃａ2+濃度上昇活性、細胞内ｃＡＭＰ生成抑制活性、ＭＡＰキナーゼのリン酸化もしくは活性化、副腎皮質刺激ホルモン（ＡＣＴＨ）分泌抑制活性、グリセロール生成抑制活性、または脂肪分解抑制活性を測定することを特徴とする該レセプター蛋白質またはその塩に対するアゴニストのスクリーニング方法。
【請求項２１】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩を含有してなる糖尿病、高脂血症、動脈硬化、狭心症または心筋梗塞の予防・治療剤。
【請求項２２】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩を含有してなるストレス調節剤。
【請求項２３】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩を含有してなる副腎皮質刺激ホルモン（ＡＣＴＨ）分泌抑制剤。
【請求項２４】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩を含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群または副腎皮質の萎縮の予防・治療剤。
【請求項２５】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなる糖尿病、高脂血症、動脈硬化、狭心症または心筋梗塞の予防・治療剤。
【請求項２６】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなるストレス調節剤。
【請求項２７】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなる副腎皮質刺激ホルモン（ＡＣＴＨ）分泌抑制剤。
【請求項２８】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群または副腎皮質の萎縮の予防・治療剤。
【請求項２９】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害または循環器疾患の診断剤。
【請求項３０】
配列番号：１、配列番号：３または配列番号：８で表されるアミノ酸配列と８５％以上の相同性を有するアミノ酸配列を含有するＧ蛋白質共役型レセプター蛋白質またはその部分ペプチドをコードするポリヌクレオチドを含有するポリヌクレオチドを含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害または循環器疾患の診断剤。
【請求項３１】
配列番号：１、配列番号：３または配列番号：８で表されるアミノ酸配列中の１または数個のアミノ酸が欠失、付加、または置換されたアミノ酸配列を含有するＧ蛋白質共役型レセプター蛋白質またはその部分ペプチドをコードするポリヌクレオチドを含有するポリヌクレオチドを含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害または循環器疾患の診断剤。
【請求項３２】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなるストレスの診断剤。
【請求項３３】
配列番号：１、配列番号：３または配列番号：８で表されるアミノ酸配列と８５％以上の相同性を有するアミノ酸配列を含有するＧ蛋白質共役型レセプター蛋白質またはその部分ペプチドをコードするポリヌクレオチドを含有するポリヌクレオチドを含有してなるストレスの診断剤。
【請求項３４】
配列番号：１、配列番号：３または配列番号：８で表されるアミノ酸配列中の１または数個のアミノ酸が欠失、付加、または置換されたアミノ酸配列を含有するＧ蛋白質共役型レセプター蛋白質またはその部分ペプチドをコードするポリヌクレオチドを含有するポリヌクレオチドを含有してなるストレスの診断剤。
【請求項３５】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドを含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群、副腎皮質の萎縮、慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの診断剤。
【請求項３６】
配列番号：１、配列番号：３または配列番号：８で表されるアミノ酸配列と８５％以上の相同性を有するアミノ酸配列を含有するＧ蛋白質共役型レセプター蛋白質またはその部分ペプチドをコードするポリヌクレオチドを含有するポリヌクレオチドを含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群、副腎皮質の萎縮、慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの診断剤。
【請求項３７】
配列番号：１、配列番号：３または配列番号：８で表されるアミノ酸配列中の１または数個のアミノ酸が欠失、付加、または置換されたアミノ酸配列を含有するＧ蛋白質共役型レセプター蛋白質またはその部分ペプチドをコードするポリヌクレオチドを含有するポリヌクレオチドを含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群、副腎皮質の萎縮、慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの診断剤。
【請求項３８】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなる肥満症の予防・治療剤。
【請求項３９】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなるストレス調節剤。
【請求項４０】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなる副腎皮質刺激ホルモン（ＡＣＴＨ）分泌促進剤。
【請求項４１】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなる慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの予防・治療剤。
【請求項４２】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害または循環器疾患の診断剤。
【請求項４３】
配列番号：１、配列番号：３または配列番号：８で表わされるアミノ酸配列と８５％以上の相同性を有するアミノ酸配列を含有するＧ蛋白質共役型レセプター蛋白質もしくはその部分ペプチドまたはその塩に対する抗体を含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害または循環器疾患の診断剤。
【請求項４４】
配列番号：１、配列番号：３または配列番号：８で表わされるアミノ酸配列中の１または数個のアミノ酸が欠失、付加、または置換されたアミノ酸配列を含有するＧ蛋白質共役型レセプター蛋白質もしくはその部分ペプチドまたはその塩に対する抗体を含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害または循環器疾患の診断剤。
【請求項４５】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなるストレスの診断剤。
【請求項４６】
配列番号：１、配列番号：３または配列番号：８で表わされるアミノ酸配列と８５％以上の相同性を有するアミノ酸配列を含有するＧ蛋白質共役型レセプター蛋白質もしくはその部分ペプチドまたはその塩に対する抗体を含有してなるストレスの診断剤。
【請求項４７】
配列番号：１、配列番号：３または配列番号：８で表わされるアミノ酸配列中の１または数個のアミノ酸が欠失、付加、または置換されたアミノ酸配列を含有するＧ蛋白質共役型レセプター蛋白質もしくはその部分ペプチドまたはその塩に対する抗体を含有してなるストレスの診断剤。
【請求項４８】
配列番号：１、配列番号：３または配列番号：８で表されるアミノ酸配列と同一もしくは実質的に同一のアミノ酸配列を含有するＧ蛋白質共役型レセプター蛋白質もしくはその部分ペプチドまたはその塩に対する抗体を含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群、副腎皮質の萎縮、慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの診断剤。
【請求項４９】
配列番号：１、配列番号：３または配列番号：８で表わされるアミノ酸配列と８５％以上の相同性を有するアミノ酸配列を含有するＧ蛋白質共役型レセプター蛋白質もしくはその部分ペプチドまたはその塩に対する抗体を含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群、副腎皮質の萎縮、慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの診断剤。
【請求項５０】
配列番号：１、配列番号：３または配列番号：８で表わされるアミノ酸配列中の１または数個のアミノ酸が欠失、付加、または置換されたアミノ酸配列を含有するＧ蛋白質共役型レセプター蛋白質もしくはその部分ペプチドまたはその塩に対する抗体を含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群、副腎皮質の萎縮、慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの診断剤。
【請求項５１】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドと相補的な塩基配列またはその一部を含有してなるポリヌクレオチドを含有してなる肥満症の予防・治療剤。
【請求項５２】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドと相補的な塩基配列またはその一部を含有してなるポリヌクレオチドを含有してなるストレス調節剤。
【請求項５３】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドと相補的な塩基配列またはその一部を含有してなるポリヌクレオチドを含有してなる副腎皮質刺激ホルモン（ＡＣＴＨ）分泌促進剤。
【請求項５４】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドをコードするポリヌクレオチドを含有するポリヌクレオチドと相補的な塩基配列またはその一部を含有してなるポリヌクレオチドを含有してなる慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの予防・治療剤。
【請求項５５】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を増加させる化合物またはその塩を含有してなる糖尿病、高脂血症、動脈硬化、狭心症または心筋梗塞の予防・治療剤。
【請求項５６】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を増加させる化合物またはその塩を含有してなるストレス調節剤。
【請求項５７】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を増加させる化合物またはその塩を含有してなる副腎皮質刺激ホルモン（ＡＣＴＨ）分泌抑制剤。
【請求項５８】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を増加させる化合物またはその塩を含有してなるＡＣＴＨ産生腫瘍、クッシング病、感染症、続発性副腎皮質機能不全、消化性潰瘍、糖尿病、精神障害、白内障、緑内障、結核性疾患、高血圧、クッシング症候群または副腎皮質の萎縮の予防・治療剤。
【請求項５９】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を減少させる化合物またはその塩を含有してなる肥満症の予防・治療剤。
【請求項６０】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を減少させる化合物またはその塩を含有してなるストレス調節剤。
【請求項６１】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を減少させる化合物またはその塩を含有してなる副腎皮質刺激ホルモン（ＡＣＴＨ）分泌促進剤。
【請求項６２】
配列番号：１、配列番号：３または配列番号：８で表されるアミノ酸配列と同一もしくは実質的に同一のアミノ酸配列を含有するＧ蛋白質共役型レセプター蛋白質またはその部分ペプチドの発現量を減少させる化合物またはその塩を含有してなる慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの予防・治療剤。
【請求項６３】
脂肪酸またはその塩を含有してなる配列番号：１、配列番号：３または配列番号：８で表されるアミノ酸配列と同一もしくは実質的に同一のアミノ酸配列を含有するＧ蛋白質共役型レセプター蛋白質のシグナル伝達作用増強剤。
【請求項６４】
糖尿病、高脂血症、動脈硬化、狭心症または心筋梗塞の予防・治療剤である請求項６３記載の剤。
【請求項６５】
ストレス調節剤である請求項６３記載の剤。
【請求項６６】
副腎皮質刺激ホルモン（ＡＣＴＨ）分泌抑制剤である請求項６３記載の剤。
【請求項６７】
ＡＣＴＨ産生腫瘍、クッシング病、感染症、続発性副腎皮質機能不全、消化性潰瘍、糖尿病、精神障害、白内障、緑内障、結核性疾患、高血圧、クッシング症候群または副腎皮質の萎縮の予防・治療剤である請求項６３記載の剤。
【請求項６８】
副腎皮質刺激ホルモン（ＡＣＴＨ）分泌抑制剤である請求項６３記載の剤。
【請求項６９】
配列番号：１、配列番号：３または配列番号：８で表わされるアミノ酸配列と同一もしくは実質的に同一のアミノ酸配列を含有するＧ蛋白質共役型レセプター蛋白質またはその塩を用いることを特徴とする、（ｉ）糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害もしくは循環器疾患の予防・治療薬、（ii）ストレス調節薬、（iii）副腎皮質刺激ホルモン（ＡＣＴＨ）分泌調節薬、（iv）ＡＣＴＨ産生腫瘍、クッシング病、感染症、続発性副腎皮質機能不全、消化性潰瘍、糖尿病、精神障害、白内障、緑内障、結核性疾患、高血圧、クッシング症候群もしくは副腎皮質の萎縮の予防・治療薬、または（ｖ）慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーもしくはアナフィラキシーショックの予防・治療薬が該レセプター蛋白質またはその塩に結合することを確認する方法。
【請求項７０】
配列番号：１、配列番号：３または配列番号：８で表わされるアミノ酸配列と同一もしくは実質的に同一のアミノ酸配列を含有するＧ蛋白質共役型レセプター蛋白質またはその塩を用いることを特徴とする、（ｉ）糖尿病、高脂血症、動脈硬化、狭心症または心筋梗塞の予防・治療薬、（ii）ストレス調節薬、（iii）副腎皮質刺激ホルモン（ＡＣＴＨ）分泌抑制薬、または（iv）ＡＣＴＨ産生腫瘍、クッシング病、感染症、続発性副腎皮質機能不全、消化性潰瘍、糖尿病、精神障害、白内障、緑内障、結核性疾患、高血圧、クッシング症候群もしくは副腎皮質の萎縮の予防・治療薬が該レセプター蛋白質またはその塩に対するアゴニストであることを確認する方法。
【請求項７１】
配列番号：１、配列番号：３または配列番号：８で表わされるアミノ酸配列と同一もしくは実質的に同一のアミノ酸配列を含有するＧ蛋白質共役型レセプター蛋白質またはその塩を用いることを特徴とする、（ｉ）肥満症の予防・治療薬、（ii）ストレス調節薬、（iii）副腎皮質刺激ホルモン（ＡＣＴＨ）分泌促進薬、または（iv）慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーもしくはアナフィラキシーショックの予防・治療薬が該レセプター蛋白質またはその塩に対するアンタゴニストであることを確認する方法。
【請求項７２】
各薬を該レセプター蛋白質、その部分ペプチドまたはその塩に接触させた場合における、各薬と該レセプター蛋白質、その部分ペプチドまたはその塩との結合量を測定することを特徴とする請求項６９〜７１記載の確認方法。
【請求項７３】
（１）（ｉ）配列番号：１、配列番号：３または配列番号：８で表わされるアミノ酸配列と同一もしくは実質的に同一のアミノ酸配列を含有するＧ蛋白質共役型レセプター蛋白質に対するアゴニストまたはアンタゴニスト、または（および）（ii）配列番号：１、配列番号：３または配列番号：８で表わされるアミノ酸配列と同一もしくは実質的に同一のアミノ酸配列を含有するＧ蛋白質共役型レセプター蛋白質またはその部分ペプチドの発現量を変化させる化合物またはその塩、と（２）（ｉ）糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、腸管ホルモンの分泌障害もしくは循環器疾患の予防・治療薬、（ii）ストレス調節薬、（iii）副腎皮質刺激ホルモン（ＡＣＴＨ）分泌調節薬、（iv）ＡＣＴＨ産生腫瘍、クッシング病、感染症、続発性副腎皮質機能不全、消化性潰瘍、糖尿病、精神障害、白内障、緑内障、結核性疾患、高血圧、クッシング症候群もしくは副腎皮質の萎縮の予防・治療薬、または（ｖ）慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーもしくはアナフィラキシーショックの予防・治療薬とを組み合わせてなる医薬。
【請求項７４】
配列番号：８で表されるアミノ酸配列からなるＧ蛋白質共役型レセプター蛋白質、その部分ペプチドまたはその塩。
【請求項７５】
請求項７４記載のＧ蛋白質共役型レセプター蛋白質をコードするポリヌクレオチドを含有するポリヌクレオチド。
【請求項７６】
配列番号：９で表される塩基配列からなるＤＮＡ。
【請求項７７】
請求項７５記載のポリヌクレオチドを含有する組換えベクター。
【請求項７８】
請求項７７記載の組換えベクターで形質転換させた形質転換体。
【請求項７９】
請求項７８記載の形質転換体を培養し、請求項７４記載のＧ蛋白質共役型レセプター蛋白質またはその塩を生成せしめることを特徴とする請求項７４記載のＧ蛋白質共役型レセプター蛋白質またはその塩の製造法。
【請求項８０】
配列番号：１、配列番号：３または配列番号：８で表わされるアミノ酸配列と８５％以上の相同性を有するアミノ酸配列を含有するＧ蛋白質共役型レセプター蛋白質またはその部分ペプチドをコードするポリヌクレオチドに対するｓｉＲＮＡ。
【請求項８１】
配列番号：２１で表わされる塩基配列からなるセンス鎖と配列番号：２２で表わされる塩基配列からなるアンチセンス鎖で構成されるｓｉＲＮＡである請求項８０記載のｓｉＲＮＡ。
【請求項８２】
請求項８０記載のｓｉＲＮＡを含有してなる診断薬。
【請求項８３】
請求項８０記載のｓｉＲＮＡを含有してなる医薬。
【請求項８４】
請求項８０記載のｓｉＲＮＡを含有してなる糖尿病、耐糖能障害、ケトーシス、アシドーシス、糖尿病神経障害、糖尿病腎症、糖尿病網膜症、高脂血症、動脈硬化、狭心症、心筋梗塞、性機能障害、肥満、肥満症、下垂体機能障害、癌、記憶学習障害、膵臓疲弊、低血糖症、インスリンアレルギー、脂肪毒性、脂肪萎縮、癌性悪液質、高インスリン血症、高血糖症、高ＦＦＡ症、高中性脂肪症、脂肪肝、熱産生機能障害、胆石症、摂食障害、拒食症、腸管ホルモンの分泌障害または循環器疾患（特に、拒食症、肥満症、とりわけ内臓脂肪蓄積型肥満症）の予防・治療剤。
【請求項８５】
請求項８０記載のｓｉＲＮＡを含有してなるストレス調節剤、脂肪細胞からのグリセロール生成促進剤、血中グルセロール上昇剤、脂肪分解促進剤またはインスリン抵抗促進剤。
【請求項８６】
請求項８０記載のｓｉＲＮＡを含有してなる副腎皮質刺激ホルモン（ＡＣＴＨ）分泌促進剤。
【請求項８７】
請求項８０記載のｓｉＲＮＡを含有してなる慢性関節リウマチ、全身性エリテマトーデス、多発性筋炎、リウマチ熱、強皮症、腎疾患、気管支喘息、肺結核性胸膜炎、サルコイドーシス、びまん性間質性肺炎、潰瘍性大腸炎、胆汁うっ滞型急性肝炎、劇症肝炎、慢性肝炎、肝硬変、脳脊髄炎、末梢神経炎、多発性硬化症、重症筋無力症、顔面神経麻痺、溶血性貧血、顆粒球減少症、紫斑病、再生不良性貧血、白血病、悪性リンパ腫、急性慢性副腎皮質機能不全、副腎性器症候群、甲状腺疾患による悪性眼球突出症、ＡＣＴＨ単独欠損症、蕁麻疹、湿疹、皮膚炎、帯状疱疹、乾癬、薬剤アレルギーまたはアナフィラキシーショックの予防・治療剤。
【請求項８８】
前記Ｇ蛋白質共役型レセプター蛋白質またはその部分ペプチドの発現量を減少させる化合物が、配列番号：１、配列番号：３または配列番号：８で表されるアミノ酸配列、もしくは配列番号：１、配列番号：３または配列番号：８で表わされるアミノ酸配列と８５％以上の相同性を有するアミノ酸配列を含有するＧ蛋白質共役型レセプター蛋白質またはその部分ペプチドをコードするポリヌクレオチドに対するｓｉＲＮＡである、請求項５９〜６２のいずれか記載の剤。